(57)【特許請求の範囲】
【請求項１】
容器体２と、該容器体の口頸部６に装着キャップ７を嵌合させて装着したポンプ３とからなり、ポンプ３は、装着キャップ７より上方付勢状態で上下動可能に起立させたステム８と、該ステムの上端に嵌着するとともに、前方に噴出用のノズル９を突設した噴出ヘッド10とを備え、該ヘッドの上下動により収納液の噴出を行う如く構成した液体噴出器に於いて、ノズルに前方より挿通して回動可能に嵌合させた筒部11と、該筒部外面より延設して下面を装着キャップ７上面に当接係止させるとともに、噴出ヘッド10の押し下げが可能な位置への回動が可能に設けた係止腕12とからなるストッパー４を設けたことを特徴とする液体噴出器。
【請求項２】
上記筒部11内前部に、スリット14を備え且つ該スリット14を開いてノズル９を貫通させた係止壁部13を設けてなる請求項１記載の液体噴出器。
【請求項３】
上記ストッパー４に代えて、ノズル側方より強制的に押圧して回動可能に嵌合させた開環筒部15と、該筒部11外面より延設して下面を装着キャップ上面に当接係止させるとともに、噴出ヘッド10の押し下げが可能な位置への回動が可能に設けた係止腕12とからなるストッパー4aを設けてなる請求項１記載の液体噴出器。
【発明の詳細な説明】
【０００１】
【発明の属する技術分野】
本発明は液体噴出器に関する。
【０００２】
【従来の技術】
液体噴出器として、口頸部を起立した容器体と、口頸部に装着キャップを嵌合して容器体に装着するとともに、装着キャップ上面より上方付勢状態で上下動可能に突出したステムの上端にノズル付きの噴出ヘッドを嵌着したポンプとからなるものが知られている。これらは噴出ヘッドの上下動により容器体内収納液を吸い上げてノズルより噴出する如く構成したものである。
【０００３】
この種ポンプでは、噴出ヘッドの上下動を防止して不都合な液の漏出を防止し、また、非使用時に出来るだけ体積を小さくしておくという目的で、噴出ヘッドを押し下げた状態で螺合などによりキャップに係止させておくことができる如く構成している。
【０００４】
【発明が解決しようとする課題】
この種のポンプでは、使用前の流通時或いは保管時には上記した如く噴出ヘッドを押し下げて係止させておき、使用に先立って係止を解除して噴出ヘッドを噴出可能な位置まで上昇させて使用する。しかしながら、使用後は再び噴出ヘッドを押下げて螺子止めしなければならず、また、その場合再度の使用時には再び螺子を外してヘッドを上昇させなければならない。従って、使用開始後には一般にそのままの状態で保管するのが通常であるが、物の落下或いは噴出器自体の落下等の外力によりヘッドが押し下げられる事故や、幼児が故意に押し下げてしまう悪戯などにより液の漏出が生じる場合がある。
【０００５】
本発明は上記した点に鑑みなされたもので、外力や幼児の悪戯による液の漏出の不都合をなくし、しかも、収納液の噴出時に簡単な操作で面倒なく行える液体噴出器を提案するものである。また、既存のポンプを使用して形成することができ、構造も簡単で安価に製造できる液体噴出器提案するものである。更に、ノズルの種々の形態に対応できる汎用性に富んだ液体噴出器を提案するものである。
【０００６】
【課題を解決するための手段】
本請求項１発明の液体噴出器は上記課題を解決するため、容器体２と、該容器体の口頸部６に装着キャップ７を嵌合させて装着したポンプ３とからなり、ポンプ３は、装着キャップ７より上方付勢状態で上下動可能に起立させたステム８と、該ステムの上端に嵌着するとともに、前方に噴出用のノズル９を突設した噴出ヘッド10とを備え、該ヘッドの上下動により収納液の噴出を行う如く構成した液体噴出器に於いて、ノズルに前方より挿通して回動可能に嵌合させた筒部11と、該筒部外面より延設して下面を装着キャップ７上面に当接係止させるとともに、噴出ヘッド10の押し下げが可能な位置への回動が可能に設けた係止腕12とからなるストッパー４を設けたことを特徴とする液体噴出器として構成した。
【０００７】
また、請求項２発明の液体噴出器は、上記筒部11内前部に、スリット14を備え且つ該スリット14を開いてノズル９を貫通させた係止壁部13を設けてなる請求項１記載の液体噴出器として構成した。
【０００８】
また、請求項３発明の液体噴出器は、上記ストッパー４に代えて、ノズル側方より強制的に押圧して回動可能に嵌合させた開環筒部15と、該筒部11外面より延設して下面を装着キャップ上面に当接係止させるとともに、噴出ヘッド10の押し下げが可能な位置への回動が可能に設けた係止腕12とからなるストッパー4aを設けてなる請求項１記載の液体噴出器として構成した。
【０００９】
【発明の実施の形態】
以下、本発明の実施の形態を図面を参照して説明する。
【００１０】
図１は本発明の液体噴出器１の実施形態の一例を示すもので、該噴出器１は、容器体２と、ポンプ３と、ストッパー４とを備えている。
【００１１】
容器体２は、筒状の胴部５より口頸部６起立して構成している。
【００１２】
ポンプ３は、口頸部６外周に装着キャップ７を嵌合させて容器体２に装着したものであり、装着キャップ７より上方付勢状態で上下動可能に起立させたステム８と、該ステムの上端に嵌着するとともに、前方に噴出用のノズル９を突設した噴出ヘッド10とを備えており、噴出ヘッド10の上下動により内蔵ポンプ機構の作用で収納液の噴出を行う如く構成した公知構成のものが使用できる。
【００１３】
ストッパー４は、非使用時には噴出ヘッド10の押し下げを防止して液の噴出が行えない様にし、使用に当たって簡単な操作により収納液の噴出が可能となる如く構成したものである。具体的には、ノズル９に前方より挿通して回動可能に嵌合させた筒部11と、該筒部外面より延設して下面を装着キャップ７上面に当接係止させるとともに、噴出ヘッド10の押し下げが可能な位置への回動が可能に設けた係止腕12とから構成している。
【００１４】
図１に於けるストッパー４は、図２に示す如く、横円筒状の筒部11下面より、側面視Ｌ字状に形成して下端部を幅広にした板状の係止腕12を垂設している。尚、係止腕の具体的形状は上記した要件を満たす範囲内で種々先端できる。また、筒部11内前部には係止壁部13を設けている。この係止壁部13は放射状に複数のスリット14を設けており、ポンプ３に装着する際には該スリット14を開いてノズル９を貫通させる如く構成している。スリット14は、ノズル９がそれを開いて貫通できる形状であればどの様な形状であっても良いが、図示例の如き放射状が好ましく採用でき、その数も適宜選択出来る。
【００１５】
上記の如く構成した噴出器１は、非使用時には図１に示す如くストッパー４下端が装着キャップ７上面に当接係止されているため、噴出ヘッド10を押し下げようとしても下がらず、収納液の噴出はできない。一方、使用時にはこの状態から図３に示す如く係止腕12を回動させると噴出ヘッドの押し下げが可能となり、液の噴出が可能となる。使用後は再び係止腕12を回動させて元の状態に戻しておく。
【００１６】
図４は本発明の他の実施形態を示すもので、図１の実施形態に於いて、ストッパー４に代えて、ノズル側方より強制的に押圧し回動可能に嵌合させた開環筒部15と、該筒部外面より延設して下面を装着キャップ７上面に当接係止させるとともに、噴出ヘッド10の押し下げが可能な位置への回動が可能に設けた係止腕12とからなるストッパー4aを設けている。
【００１７】
図４に於けるストッパー4aは、図５にある如く、側面を帯状に開環した横円筒状をなす開環筒部15の下面より、図１の実施形態と同様の係止腕12を垂設して構成している。
【００１８】
この場合の噴出器１は、非使用時には図４に示す如くストッパー４下端が装着キャップ７上面に係止されているため、噴出ヘッド10を押し下げようとしても下がらず、収納液の噴出はできない。一方使用時にはこの状態から図６に示す如く係止腕12を回動させると噴出ヘッドの押し下げが可能となり、液の噴出が可能となる。使用後は再び係止腕12を回動させて元の状態に戻しておく。
【００１９】
【発明の効果】
以上説明した如く本発明の液体噴出器は、既述構成としたことにより、非使用時には噴出ヘッド10の押し下げを防止して外力や幼児の悪戯等による液の漏出の不都合を防止でき、また、使用時には係止腕12を回動させるという極めて簡単な操作により噴出ヘッド10の押し下げが可能となり、収納液の噴出が可能となる。しかも、構造が極めて簡単なストッパーを装着するだけでこの様な効果を発揮でき、既成のポンプをそのまま使用できるため、製造も極めて容易となる。
【００２０】
また、筒部11内前部に、スリット14を備え該スリット14を開いてノズル９を貫通させた係止壁部13を設けてなるものに有っては、筒部11がノズルの径より若干大きい場合にも簡単に抜け出さない利点があり、また、ノズル９が曲がった状態で突出したものにあっても容易に装着できる利点がある。
【００２１】
また、ノズル側方より強制的に押圧して回動可能に嵌合させた開環筒部15を備えたストッパー4aを設けてなるものにあっては、前半部が後半部から極端に曲がったノズル９の場合でも装着が可能であるという利点を兼ね備えている。
【図面の簡単な説明】
【図１】本発明の一実施形態を示す側面図である。
【図２】同実施形態のストッパーを示す拡大斜視図である。
【図３】同実施形態のストッパーを回動した状態の側面図である。
【図４】本発明の他の実施形態を示す側面ステムである。
【図５】同実施形態のストッパーを示す拡大斜視図である。
【図６】同実施形態のストッパーを回動した状態の側面図である。
【符号の説明】
２…容器体，３…ポンプ，４，4a…ストッパー，６…口頸部，
７…装着キャップ，９…ノズル，10…噴出ヘッド，11…筒部，12…係止腕，
13…係止壁部，14…スリット，15…開環筒部
【図１】
0004201108.tif 000002
【図２】
0004201108.tif 000003
【図３】
0004201108.tif 000004
【図４】
0004201108.tif 000005
【図５】
0004201108.tif 000006
【図６】
0004201108.tif 000007